(57)【要約】【課題】高解像度の映像情報を自動的に記録することができる映像記録装置及び映像記録方法を提供する。【解決手段】入力された映像信号を受けて動きがある領域のみ抽出した後、抽出した動領域の中から人物の顔が写っている部分のみを抽出して人物の顔が最も良く写っているフレームを検出してベストショットトリガ信号を生成し、入力された映像信号を周波数領域映像信号に周波数変換した後、該周波数領域映像信号を複数のサブバンド映像信号に分割し、ベストショットトリガ信号が生成されたときには、そのときのフレームに対応する全てのサブバンド映像信号を選択し、ベストショットトリガ信号が生成されなかったときには、そのときのフレームに対応する低域側の一部のサブバンド映像信号のみを選択し、選択した各サブバンド映像信号を圧縮してサブバンド圧縮映像信号として、各サブバンド映像信号を多重して圧縮映像信号としてストレージ１１２に記録する。【選択図】図１
2006254308.tif 000002
【特許請求の範囲】
【請求項１】
入力された映像信号を記録媒体に蓄積する映像記録装置であって、
入力された映像信号を周波数変換して周波数領域映像信号を得る周波数変換手段と、
前記周波数変換手段で得られた周波数領域映像信号を複数のサブバンド映像信号に分割するサブバンド分割手段と、
高解像度記録指定された映像に対しては、前記サブバンド分割手段で得られた複数のサブバンド映像信号の全てを選択し、前記高解像度記録指定されなかった映像に対しては、前記サブバンド分割手段で得られた複数のサブバンド映像信号のうち低域側の一部を選択する選択手段と、
前記選択手段で選択された各サブバンド映像信号を圧縮してサブバンド圧縮映像信号を生成する圧縮手段と、
前記高解像度記録指定された映像に対しては、前記選択手段で選択されて前記圧縮手段で圧縮された全てのサブバンド圧縮映像信号を多重し、前記高解像度記録指定されなかった映像に対しては、前記選択手段で選択されて前記圧縮手段で圧縮された低域側の一部のサブバンド圧縮映像信号を多重する多重化手段と、
前記多重化手段にて多重化されたサブバンド圧縮映像信号を前記記録媒体に記録する記録制御手段と、
を備える映像記録装置。
【請求項２】
フレーム単位で入力された映像信号を記録媒体に蓄積する映像記録装置であって、
入力された映像信号を画像処理して人物が最も良く写っているフレームを検出してベストショットトリガ信号を生成するベストショットトリガ信号生成手段と、
入力された映像信号を周波数変換して周波数領域映像信号を得る周波数変換手段と、
前記周波数変換手段で得られた周波数領域映像信号を複数のサブバンド映像信号に分割するサブバンド分割手段と、
前記ベストショットトリガ信号生成手段にてベストショットトリガ信号が生成されたときには、そのときのフレームに対応する全てのサブバンド映像信号を選択し、前記ベストショットトリガ信号が生成されなかったときには、そのときのフレームに対応する低域側の一部のサブバンド映像信号を選択する選択手段と、
前記選択手段にて選択された各サブバンド映像信号を圧縮してサブバンド圧縮映像信号として出力する圧縮手段と、
前記圧縮手段にて圧縮された各サブバンド映像信号を多重して圧縮映像信号として出力する多重手段と、
前記多重手段からの圧縮映像信号の前記記録媒体への記録を制御する記録制御手段と、
を備える映像記録装置。
【請求項３】
入力された映像信号を記録媒体に蓄積する映像記録方法であって、
入力された映像信号を周波数変換し、これにより得られた周波数領域映像信号を複数のサブバンド映像信号に分割し、
高解像度記録指定された映像に対しては、該映像に対する複数のサブバンド映像信号の全てを圧縮してサブバンド圧縮映像信号を生成し、これにより得られた全てのサブバンド圧縮映像信号を多重して記録媒体に記録し、前記高解像度記録指定されなかった映像に対しては、該映像に対する複数のサブバンド映像信号の低域側の一部を圧縮してサブバンド圧縮映像信号を生成し、これにより得られた一部のサブバンド圧縮映像信号を多重して記録媒体に記録する映像記録方法。
【請求項４】
映像信号を入力として受けて記録媒体に蓄積する映像記録方法であって、
入力された映像信号を受けて動きがある領域のみ抽出した後、抽出した動領域の中から人物が写っている部分を抽出して人物が最も良く写っているフレームを検出してベストショットトリガ信号を生成し、
入力された映像信号を周波数領域映像信号に周波数変換した後、該周波数領域映像信号を複数のサブバンド映像信号に分割し、
前記ベストショットトリガ信号が生成されたときには、そのときのフレームに対応する全てのサブバンド映像信号を選択し、前記ベストショットトリガ信号が生成されなかったときには、そのときのフレームに対応する低域側の一部のサブバンド映像信号を選択し、
選択した各サブバンド映像信号を圧縮してサブバンド圧縮映像信号として、各サブバンド映像信号を多重して圧縮映像信号として前記記録媒体に記録する映像記録方法。
【発明の詳細な説明】
【技術分野】
【０００１】
本発明は、入力された映像を圧縮してハードディスク等の記録媒体に記録する映像記録装置及び映像記録方法に関する。
【背景技術】
【０００２】
従来、上述した映像記録装置には、ユーザの操作による解像度の切り替えを可能にしたものがある（例えば、特許文献１参照）。特許文献１で開示された動画及び静止画の記録／再生方法では、例えば通常の動画フレームを３２０×２４０の画素サイズで記録するが、高画質モードボタンを押下すると、そのタイミングで取得したフレーム画像については１２８０×９６０の画素サイズで記録することを可能としている。
【０００３】
【特許文献１】特開２００３−１２５３４４号公報（第６頁、図１）
【発明の開示】
【発明が解決しようとする課題】
【０００４】
しかしながら、従来の映像記録装置においては、解像度の切り替えはユーザの操作によるため、高解像度の映像情報を自動的に記録することができないという問題がある。
【０００５】
本発明は、係る事情に鑑みてなされたものであり、高解像度の映像情報を自動的に記録することができる映像記録装置及び映像記録方法を提供することを目的とする。
【課題を解決するための手段】
【０００６】
上記目的は下記構成及び方法により達成される。
（１）  入力された映像信号を記録媒体に蓄積する映像記録装置であって、入力された映像信号を周波数変換して周波数領域映像信号を得る周波数変換手段と、前記周波数変換手段で得られた周波数領域映像信号を複数のサブバンド映像信号に分割するサブバンド分割手段と、高解像度記録指定された映像に対しては、前記サブバンド分割手段で得られた複数のサブバンド映像信号の全てを選択し、前記高解像度記録指定されなかった映像に対しては、前記サブバンド分割手段で得られた複数のサブバンド映像信号のうち低域側の一部を選択する選択手段と、前記選択手段で選択された各サブバンド映像信号を圧縮してサブバンド圧縮映像信号を生成する圧縮手段と、前記高解像度記録指定された映像に対しては、前記選択手段で選択されて前記圧縮手段で圧縮された全てのサブバンド圧縮映像信号を多重し、前記高解像度記録指定されなかった映像に対しては、前記選択手段で選択されて前記圧縮手段で圧縮された低域側の一部のサブバンド圧縮映像信号を多重する多重化手段と、前記多重化手段にて多重化されたサブバンド圧縮映像信号を前記記録媒体に記録する記録制御手段と、を備える。この構成により、高解像度の映像情報を自動的に記録することが可能となる。また、映像の全てを高解像度で記録せず、意味を持たない映像については低解像度で記録するので、記録媒体を有効に活用することができる。
【０００７】
（２）  フレーム単位で入力された映像信号を記録媒体に蓄積する映像記録装置であって、入力された映像信号を画像処理して人物が最も良く写っているフレームを検出してベストショットトリガ信号を生成するベストショットトリガ信号生成手段と、入力された映像信号を周波数変換して周波数領域映像信号を得る周波数変換手段と、前記周波数変換手段で得られた周波数領域映像信号を複数のサブバンド映像信号に分割するサブバンド分割手段と、前記ベストショットトリガ信号生成手段にてベストショットトリガ信号が生成されたときには、そのときのフレームに対応する全てのサブバンド映像信号を選択し、前記ベストショットトリガ信号が生成されなかったときには、そのときのフレームに対応する低域側の一部のサブバンド映像信号を選択する選択手段と、前記選択手段にて選択された各サブバンド映像信号を圧縮してサブバンド圧縮映像信号として出力する圧縮手段と、前記圧縮手段にて圧縮された各サブバンド映像信号を多重して圧縮映像信号として出力する多重手段と、前記多重手段からの圧縮映像信号の前記記録媒体への記録を制御する記録制御手段と、を備える。この構成により、人物の顔が最も良く映っている画像のみを高解像度で記録することができる。すなわち、入力された映像信号から高解像度の映像情報を自動的に取得して記録することができる。また、映像の全てを高解像度で記録せず、ベストショットでない映像については低解像度で記録するので、記録媒体を有効に活用することができる。
【０００８】
（３）  入力された映像信号を記録媒体に蓄積する映像記録方法であって、入力された映像信号を周波数変換し、これにより得られた周波数領域映像信号を複数のサブバンド映像信号に分割し、高解像度記録指定された映像に対しては、該映像に対する複数のサブバンド映像信号の全てを圧縮してサブバンド圧縮映像信号を生成し、これにより得られた全てのサブバンド圧縮映像信号を多重して記録媒体に記録し、前記高解像度記録指定されなかった映像に対しては、該映像に対する複数のサブバンド映像信号の低域側の一部を圧縮してサブバンド圧縮映像信号を生成し、これにより得られた一部のサブバンド圧縮映像信号を多重して記録媒体に記録する。この構成により、高解像度の映像情報を自動的に記録することが可能となる。また、映像の全てを高解像度で記録せず、意味を持たない映像については低解像度で記録するので、記録媒体を有効に活用することができる。
【０００９】
（４）  映像信号を入力として受けて記録媒体に蓄積する映像記録方法であって、入力された映像信号を受けて動きがある領域のみ抽出した後、抽出した動領域の中から人物が写っている部分を抽出して人物が最も良く写っているフレームを検出してベストショットトリガ信号を生成し、入力された映像信号を周波数領域映像信号に周波数変換した後、該周波数領域映像信号を複数のサブバンド映像信号に分割し、前記ベストショットトリガ信号が生成されたときには、そのときのフレームに対応する全てのサブバンド映像信号を選択し、前記ベストショットトリガ信号が生成されなかったときには、そのときのフレームに対応する低域側の一部のサブバンド映像信号を選択し、選択した各サブバンド映像信号を圧縮してサブバンド圧縮映像信号として、各サブバンド映像信号を多重して圧縮映像信号として前記記録媒体に記録する。この構成により、人物の顔が最も良く映っている画像を高解像度で記録することができる。すなわち、この発明でも、入力された映像信号から高解像度の映像情報を自動的に取得して記録することができる。また、映像の全てを高解像度で記録せず、ベストショットでない映像については低解像度で記録するので、記録媒体を有効に活用することができる。
【発明の効果】
【００１０】
本発明は、高解像度で記録したい映像を指定することにより入力された映像信号から、高解像度の映像情報を自動的に取得して記録するという効果を有する映像記録装置及び映像記録方法を提供することができるものである。
【発明を実施するための最良の形態】
【００１１】
以下、本発明を実施するための好適な実施の形態について、図面を参照して詳細に説明する。
【００１２】
図１は、本発明の一実施の形態に係る映像記録装置の概略構成を示すブロック図である。この図において、本実施の形態の映像記録装置１００は、人物を記録する監視用に用いられるものであり、動領域抽出部１０１と、人領域抽出部１０２と、ベストショット判定部１０３と、サブバンド分割部１０４と、高域用バッファ１０５、低域用バッファ１０６と、選択部１０７と、高域圧縮部１０８、低域圧縮部１０９と、サブバンド多重部１１０と、記録制御部１１１と、ストレージ１１２とを備えて構成される。
【００１３】
なお、サブバンド分割部１０４は、周波数変換手段とサブバンド分割手段に対応する。また、選択部１０７は、選択手段に対応する。また、高域圧縮部１０８及び低域圧縮部１０９は、圧縮手段に対応する。また、サブバンド多重部１１０は、多重化手段に対応する。また、記録制御部１１１は、記録制御手段に対応する。また、動領域抽出部１０１、人領域抽出部１０２及びベストショット判定部１０３は、ベストショットトリガ信号生成手段を構成する。
【００１４】
動領域抽出部１０１は、図示しないカメラからの映像信号又は該映像信号を処理した信号を入力として受けて映像中の動きを検出し、動きのあった領域だけを抽出して動領域信号として人領域抽出部１０２に入力する。動領域抽出のための手法としては、最も一般的な背景差分法を用いるものとするが、フレーム間差分、オプティカルフロー、ステレオ視などの手法であっても構わない。動領域抽出部１０１の出力としては、動きがあった画素を「１」、動きがない画素を「０」とした２値画像を想定する。
【００１５】
人領域抽出部１０２は、動領域抽出部１０１より入力された動領域信号から動領域が人物かどうかを判定し、人物であると判断した場合のみ人領域信号として出力する。すなわち、人領域抽出部１０２は、映像中に動きがある場合のみ動作する。映像中に動きがある場合、動領域抽出部１０１からは動きがあった領域とそうでない領域とを区別した２値画像が出力されるが、今回は楕円ハフ法による頭部検出によって人かそうでないかを判定するものとする。楕円ハフ法を適用するためには、動領域抽出部１０１より入力された２値画像に対してエッジ検出を行い、検出したエッジの形状が楕円に近いかどうかを楕円ハフ変換を用いて判定する。この楕円ハフ法は、映像中に人体が写っている場合、頭部が楕円形状となるため、人かどうかを高精度に判別することができる有効な手法である。楕円ハフ法以外の手法としては、目鼻などの顔の構造を検出する手法がある。
【００１６】
例えば、近年多く用いられるブースティング（Ｂｏｏｓｔｉｎｇ）と呼ばれる手法では、目鼻などの顔の陰影を非常にラフなテンプレートとの比較で高速に検出することが可能である。顔の構造を検出する方法に対する楕円ハフ法の優位点は、後ろ向きなど顔の構造が明確に検出できないケースでも人物を高精度に検出できる点にある。カメラの設置位置によっては通過する人物の顔が必ずしもカメラの視野に入るとは限らないため、今回は楕円ハフ法を採用する。ドアにカメラを設置するケースなど、確実に顔構造が撮影できるような条件下であれば、顔構造を検出する方法でも構わない。
【００１７】
ベストショット判定部１０３は、人領域信号から人物の写りの良さを判定し、最も良いシーンを指示する。すなわち、ベストショット判定部１０３は、一連の映像の中から人物が最も良く写っている１枚を選択する。本実施の形態では、「人物の顔のサイズ」、「顔のコントラスト」、「欠落がないこと」、「顔の向き」の４つを基準としてベストショットを選択する。人物の顔のサイズは楕円ハフでの適合テンプレートサイズから算出する。また、楕円テンプレートとの適合が一部に偏っている場合、欠落があると判定する。顔の向きについては、顔の横方向の輝度勾配を利用する。
【００１８】
一般に正面向きは輝度勾配がフラットになり、右向きや左向きでは後頭部が暗く、顔部が明るくなることから輝度勾配が生じる。顔コントラストは顔部の輝度の幅から算出することができる。本実施の形態では、この４つの基準の多数決を用いてベストショット１枚を選択する。１つの基準だけが高得点を取るのではなく、多数（本例では３つ）の基準がこれまでのベストショットのパラメータよりも良い場合、最新のフレームをベストショットとし、以前のベストショットを置換する。
【００１９】
サブバンド分割部１０４は、入力される映像信号を周波数変換して周波数領域映像信号にし、この周波数領域映像信号を複数のサブバンド領域に分割する。すなわち、入力される映像を周波数に基づいて一定のサブバンドに分割する。本実施の形態ではウェーブレット変換を用いた水平２段、垂直２段の分割を想定する。図２の（ａ）に水平２段、垂直２段の分割を行った結果を示す。この場合、「Ｈ」が高周波側、「Ｌ」が低周波側を表し、「ＬＬ」は水平方向及び垂直方向夫々が低域のサブバンド、「ＨＬ」は水平方向が高域、垂直方向が低域のサブバンド、「ＬＨ」は水平方向が低域、垂直方向が高域のサブバンド、「ＨＨ」は水平方向及び垂直方向夫々が高域のサブバンドである。「ＬＬ」が元の映像に対して１／４サイズの縮小画像となるため、サムネイル表示などに用いる縮小画像を容易に得られることがサブバンド符号化のメリットである。更に分割を水平１段、垂直１段行うことで、図２の（ｂ）のように７つの帯域に分割できる。ＬＬＬＬサブバンドが１／１６サイズの縮小画像となる。
【００２０】
以上のように分割された各サブバンドは、それぞれバッファに一時的に保存される。ベストショットを決定するためにはある人物が視野から退場するまで待つ必要があるためである。退場するまでの時間は使用されるシーンによって異なるが、一概に何秒以内と決定することができずバッファ容量も有限なので、バッファ容量から規定される最大滞在時間を超えた場合の処理が必要となる。本実施の形態では最大滞在時間を超えた場合、そこまでのベストショットを確定されたベストショットとして出力し、次のフレームから新たにベストショットの判定を再開する。本実施の形態では、図２の（ｂ）のＬＬＬＬサブバンドを低域側バッファ１０６に保存し、それ以外の６つのサブバンドを高域側バッファ１０５に保存する。
【００２１】
選択部１０７は、ベストショット判定部１０３の出力に応じて高域用バッファ１０５又は低域用バッファ１０６からデータを読み出す。すなわち、ベストショットと判定されたフレームに対しては高域用バッファ１０５と低域用バッファ１０６の両方からデータを読み出し、ベストショットではないと判定されたフレームに対しては、低域用バッファ１０６からのみデータを読み出す。本実施の形態では、ベストショット判定部１０３でベストショットと判定されたフレームに対して全てのサブバンド（ＬＬＬＬ〜ＨＨ）を出力し、ベストショットではないと判定されたフレームに対して低域側の一部（ＬＬＬＬ）のサブバンドを選択して出力する。
【００２２】
ベストショット判定部１０３は、現時点までにバッファに保存されているＮフレームのうち、何番目のフレームをベストショットとして確定したかを出力する。例えば、高域用バッファ１０５と低域用バッファ１０６に３０フレームが保存された状態で２２フレーム目をベストショットと判定した場合には「２１」という数値を出力する。この出力を受けた選択部１０７は次のように動作する。即ち、１フレームから２１フレームはベストショットでないので、低域用バッファ１０６に保存された１フレームから２１フレーム夫々のサブバンドを読み出して低域圧縮部１０９に入力する。また、高域用バッファ１０５に保存されている１フレームから２１フレーム夫々のデータは廃棄する。
【００２３】
そして、次の２２フレームはベストショットであるので、低域用バッファ１０６と高域用バッファ１０５の両方から２２フレームのサブバンドを読み出して高域圧縮部１０８と低域圧縮部１０９に入力する。この場合、低域用バッファ１０６に保存されているＬＬＬＬサブバンドを低域圧縮部１０９に入力し、高域用バッファ１０５に保存されているＬＬＨＬ、ＬＬＬＨ、ＬＬＨＨ、ＨＬ、ＬＨ、ＨＨの各サブバンドを高域圧縮部１０８に入力する。
【００２４】
また、２３フレームから３０フレームまでは、１フレームから２１フレームと同様にベストショットではないので、同様に低域側バッファ１０６に保存されている２３フレームから３０フレーム夫々のサブバンドを読み出して低域圧縮部１０９に入力する。
【００２５】
高域圧縮部１０８は、選択部１０７から入力された各サブバンドを圧縮する。高域圧縮部１０８は、結果的にベストショットと判定されたフレームについてのみ動作することになり、高域側の６つのサブバンドについて圧縮を行う。そして、圧縮を行った高域側の６つのサブバンドをサブバンド多重部１１０に入力する。低域圧縮部１０９は、結果的に全てのフレームについて動作することになり、低域側の縮小画像について圧縮を行う。そして、圧縮を行った低域側の縮小画像をサブバンド多重部１１０に入力する。圧縮の手法は様々であり、本発明では特に規定するものではないが、本実施の形態では符号の出現頻度に応じて符号長を決定するハフマン符号化による圧縮を想定している。
【００２６】
サブバンド多重部１１０は、高域圧縮部１０８又は低域圧縮部１０９から入力されたデータに対してヘッダなどの付加情報を付与して記録制御部１１１に入力する。ベストショットと判定されたフレームについては７つのサブバンド全てについて、またそれ以外のフレームについては低域側の縮小画像のみを処理対象とする。記録制御部１１１は、サブバンド多重部１１０から入力されたデータをストレージ１１２に記録する。特に、ストレージの種類を特定するものではないが、本例ではハードディスクドライブを想定している。
【００２７】
次に、図３を用いて上記構成の映像記録装置の動作について説明する。図３では、カメラ視野内の人の頭部を円で表現し、説明を容易にするためにベストショット判定基準として顔のサイズだけを使用して説明する。また、説明を容易にするために水平１段、垂直１段のケース（例えば図２の（ａ）のケース）を用いる。
【００２８】
０フレームの入力時、まだ人物は視野内に登場していない。人物がいないので、ベストショット判定部１０３は「−１（人物なし）」を出力する。これにより、第０フレームは低域のＬＬサブバンドのみが圧縮されてストレージ１１２に記録される。
【００２９】
第１フレームの入力時、左下に人物が登場する。第１フレームはサブバンド分割され、低域のＬＬサブバンドが低域用バッファ１０６に保持され、高域のＬＨ、ＨＬ及びＨＨの各サブバンドが高域用バッファ１０５に保持される。この場合、以前のデータが存在しないので、第１フレームの基準を仮ベストショットとする。ベストショット判定部１０３は「０」を出力する。
【００３０】
第２フレームの入力時、人物の顔はより大きくなる。仮ベストショットは第２フレームに更新される。第２フレームのデータはサブバンド分割され、低域のＬＬサブバンドが低域用バッファ１０６に保持され、高域のＬＨ、ＨＬ及びＨＨの各サブバンドが高域用バッファ１０５に保持される。ベストショット判定部１０３は「１」を出力する。この第２フレームの入力により、第１フレームがベストショットでないことが確定するので、第１フレームのＬＬサブバンドのみが低域用バッファ１０６から読み出されて、圧縮処理された後にストレージ１１２に記録される。第１フレームの高域側データ即ちＬＨ、ＨＬ及びＨＨの各サブバンドは廃棄される。
【００３１】
第３フレームの入力時、人物の顔は更に大きくなる。仮ベストショットは第３フレームに更新される。第３フレームのデータはサブバンド分割され、低域のＬＬサブバンドが低域用バッファ１０６に保持され、高域のＬＨ、ＨＬ及びＨＨの各サブバンドが高域用バッファ１０５に保持される。ベストショット判定部１０３は「２」を出力する。この第３フレームの入力により、第２フレームがベストショットでないことが確定するので、第２フレームのＬＬサブバンドのみが低域用バッファ１０６から読み出されて、圧縮処理された後にストレージ１１２に記録される。第２フレームの高域側データ即ちＬＨ、ＨＬ及びＨＨの各サブバンドは廃棄される。
【００３２】
第４フレームの入力時、人物の顔は更に大きくなる。仮ベストショットは第４フレームに更新される。第４フレームのデータはサブバンド分割され、低域のＬＬサブバンドが低域用バッファ１０６に保持され、高域のＬＨ、ＨＬ及びＨＨの各サブバンドが高域用バッファ１０５に保持される。ベストショット判定部１０３は「３」を出力する。この第４フレームの入力により、第３フレームがベストショットでないことが確定するので、第３フレームのＬＬサブバンドのみが低域用バッファ１０６から読み出されて、圧縮処理された後にストレージ１１２に記録される。第３フレームの高域側データ即ちＬＨ、ＨＬ及びＨＨの各サブバンドは廃棄される。
【００３３】
第５フレームの入力時、人物の顔は更に大きくなるが、顔の一部が画面外に出てしまい、欠落が生じる。したがって、仮ベストショットは第４フレームのままである。第５フレームのデータはサブバンド分割され、低域のＬＬサブバンドが低域用バッファ１０６に保持され、高域のＬＨ、ＨＬ及びＨＨの各サブバンドが高域用バッファ１０５に保持される。ベストショット判定部１０３は「３」を出力する。
【００３４】
第６フレームの入力時、人物の顔は小さくなり、欠落も生じたままである。したがって、仮ベストショットは第４フレームのままである。第６フレームのデータはサブバンド分割され、低域のＬＬサブバンドが低域用バッファ１０６に保持され、高域のＬＨ、ＨＬ及びＨＨの各サブバンドが高域用バッファ１０５に保持される。ベストショット判定部１０３は「３」を出力する。
【００３５】
第７フレームの入力時、欠落はなくなるが、人物の顔はより小さくなる。したがって、仮ベストショットは第４フレームのままである。第７フレームのデータはサブバンド分割され、低域のＬＬサブバンドが低域用バッファ１０６に保持され、高域のＬＨ、ＨＬ及びＨＨの各サブバンドが高域用バッファ１０５に保持される。ベストショット判定部１０３は「３」を出力する。
【００３６】
第８フレームの入力時、人物は画面外に移動する。したがって、ベストショットは第４フレームに確定する。ベストショット判定部１０３は「−１」を出力する。第８フレームのデータは、サブバンド分割され、低域のＬＬサブバンドが低域用バッファ１０６に保持され、高域のＬＨ、ＨＬ及びＨＨの各サブバンドが高域用バッファ１０５に保持される。
【００３７】
第８フレームの入力で最大滞在時間を超えたとして、この時点までのベストショットが確定されたベストショットとして出力される。即ち、第４フレームのデータがベストショットとして、該フレームの全てのサブバンドが圧縮処理されてストレージ１１２に記録される。
【００３８】
また、第５〜第８フレームのデータは、低域側のサブバンドのみが読み出されて、圧縮された後、ストレージ１１２に記録される。また、第５〜第８フレームの高域側データは廃棄される。
【００３９】
このように本実施の形態の映像記録装置１００によれば、入力された映像信号を受けて動きがある領域のみ抽出した後、抽出した動領域の中から人物の顔が写っている部分のみを抽出して人物の顔が最も良く写っているフレームを検出してベストショットトリガ信号を生成し、入力された映像信号を周波数領域映像信号に周波数変換した後、該周波数領域映像信号を複数のサブバンド映像信号に分割し、ベストショットトリガ信号が生成されたときには、そのときのフレームに対応する全てのサブバンド映像信号を選択し、ベストショットトリガ信号が生成されなかったときには、そのときのフレームに対応する低域側の一部のサブバンド映像信号のみを選択し、選択した各サブバンド映像信号を圧縮してサブバンド圧縮映像信号として、各サブバンド映像信号を多重して圧縮映像信号としてストレージ１１２に記録するので、人物の顔が最も良く映っている画像のみを高解像度で記録することができる。すなわち、入力された映像信号から高解像度の映像情報を自動的に取得して記録することができる。また、映像の全てを高解像度で記録せず、ベストショットでない映像については低解像度で記録するので、ストレージ１１２を有効に活用することができる。
【００４０】
なお、本実施の形態では、人物を記録する監視用として、人物の顔が最も良く写っているフレームを高解像度で記録し、その他のフレームを低解像度で記録するようにしたが、記録する対象は人物に限定されるものではなく任意であり、要は、高解像度で記録したい映像を指定すれば良く、指定した映像は高解像度で記録され、その他は低解像度で記録される。
【産業上の利用可能性】
【００４１】
本発明は、入力された映像信号から高解像度の映像情報を自動的に取得して記録するといった効果を有し、入力された映像信号を圧縮してハードディスク等の記録媒体に記録する映像記録装置等として有用である。
【図面の簡単な説明】
【００４２】
【図１】本発明の一実施の形態に係る映像記録装置の概略構成を示すブロック図
【図２】図１の映像記録装置のサブバンド分割の動作説明のための概念図
【図３】図１の映像記録装置の動作説明のための概念図
【符号の説明】
【００４３】
１００  映像記録装置
１０１  動領域抽出部
１０２  人領域抽出部
１０３  ベストショット判定部
１０４  サブバンド分割部
１０５  高域用バッファ
１０６  低域用バッファ
１０７  選択部
１０８  高域圧縮部
１０９  低域圧縮部
１１０  サブバンド多重部
１１１  記録制御部
１１２  ストレージ
【図１】
2006254308.tif 000003
【図２】
2006254308.tif 000004
【図３】
2006254308.tif 000005